(57)【要約】【課題】  回線品質を起因とした遅延や揺らぎを抑制したデータ通信を行えるようにした情報処理装置およびその制御方法を提供する。【解決手段】  送信側ファックス３０は、インターネット（ＷＡＮ７０）を介して指定サーバ６０と接続され、指定サーバ６０で管理された修正パラメータ（最適な通信パラメータ）を手動、若しくは自動で取得する。送信側ファックス３０からファックス通信を行う際には、指定サーバ６０から取得した修正パラメータの少なくとも一部を適応してファックス通信を行う。【選択図】  図１
2006217238.tif 000002
【特許請求の範囲】
【請求項１】
インターネットを利用してデータ通信を行う情報処理装置において、
前記データ通信時に用いる通信パラメータを前記インターネットを介して接続されたサーバから取得する通信パラメータ取得手段と、
データ通信先に応じて前記通信パラメータ取得手段で取得した少なくとも一部の通信パラメータをデータ通信時の通信パラメータに設定するパラメータ設定手段と、
前記パラメータ設定手段により設定された通信パラメータを用いてデータ通信を行うデータ通信手段と
を具備することを特徴とする情報処理装置。
【請求項２】
前記通信パラメータ取得手段は、
予め設定された特定の時刻に前記サーバより通信パラメータを自動取得する
ことを特徴とする請求項１記載の情報処理装置。
【請求項３】
前記通信パラメータ取得手段は、
ユーザからの指示に基づき前記サーバより通信パラメータを取得する
ことを特徴とする請求項１記載の情報処理装置。
【請求項４】
前記パラメータ取得手段で取得した通信パラメータを表示するための表示手段と、
前記表示手段に表示された通信パラメータを全て適応するか、若しくはその一部を適応するかのユーザ指示を入力するための操作手段と
を更に具備し、
前記パラメータ設定手段は、
前記操作手段から入力されたユーザ指示に基づいて、前記パラメータ取得手段で取得した通信パラメータの全て若しくは、その一部の通信パラメータをデータ通信時の通信パラメータに設定する
ことを特徴とする請求項３記載の情報処理装置。
【請求項５】
前記データ通信手段によるデータ通信結果の内、データ通信時に発生した通信不具合に関する通信ログを記憶する通信ログ記憶手段
を更に具備することを特徴とする請求項１記載の情報処理装置。
【請求項６】
前記パラメータ取得手段は、
前記通信ログ記憶手段に対する前記通信不具合に関する通信ログの記憶に対応して前記サーバより通信パラメータを自動取得する
ことを特徴とする請求項５記載の情報処理装置。
【請求項７】
前記データ通信手段によるデータ通信結果の内、回線品質に起因したエラーが発生しなかったデータ通信時の通信先情報と、該データ通信時の通信パラメータとを含む情報を前記サーバに通知する通信パラメータ通知手段
を更に具備し、
前記サーバは、
前記通信パラメータ通知手段により通知された通信先情報と、該データ通信時の通信パラメータとを含む情報を管理する
ことを特徴とする請求項１乃至６いずれかに記載の情報処理装置。
【請求項８】
インターネットを利用してデータ通信を行う情報処理装置の制御方法において、
前記データ通信時に用いる通信パラメータを前記インターネットを介して接続されたサーバから通信パラメータ取得手段で取得し、
データ通信先に応じて前記通信パラメータ取得手段で取得した少なくとも一部の通信パラメータをパラメータ設定手段でデータ通信時の通信パラメータに設定し、
前記パラメータ設定手段により設定された通信パラメータを用いてデータ通信手段でデータ通信を行う
ことを特徴とする情報処理装置の制御方法。
【発明の詳細な説明】
【技術分野】
【０００１】
本発明は、インターネットを利用してデータ通信を行う情報処理装置およびその制御方法に係わり、詳しくは、回線品質を起因とした遅延や揺らぎを抑制したデータ通信を行えるようにした情報処理装置およびその制御方法に関する。
【背景技術】
【０００２】
近年、インターネットの急速な普及に伴い、インターネット（ＩＰ通信）網を利用した情報処理装置が使用されることが多くなった。
【０００３】
このような情報処理装置、例えばインターネットファックスによると、インターネット網に接続されたパーソナルコンピュータなどから、直接電子メールなどで指定した送信先に文書等を送信することができる。このため、相手先に送信する文書等を一旦用紙などに出力する必要もなくなり、さらに相手先がイントラネット上、すなわち公衆回線網を介さずに通信できるならば通信費もかかることがなく、通信費用の大幅な削減が可能になる。
【０００４】
一方、受信側では電子メールの添付ファイルとして文書等を受信することができるので、必ずしも用紙などに出力する必要がなくなるため、無駄な出力処理を抑え、ペーパレスに貢献できる。
【０００５】
また、インターネットファックスは、２種類に大別され、従来のファックスと外付けのゲートウェイとを用いたインターネットファックスと、もともとインターネットでの通信用に製造されたインターネットファックスとがある。
【０００６】
つまり、図７（ａ）に示すように、従来のファックスにゲートウェイを接続して、ゲートウェイでＡＤ変換を行うことにより従来のファックスをインターネットファックスとして利用する方法が前者であり、これに対して（ｂ）に示すように、ファックス自身からデジタル信号を送出し、予めインターネットでの利用を目的として製造されたものが後者である。
【０００７】
この前者にあたる従来のファックスにおいて、ファックス送信時の通信効率に考慮した技術としては、例えば、特許文献１に記載されたものが知られている。
【０００８】
この特許文献１の発明では、各宛先に対応し、通信変調方式、通信ボーレート、通信速度の中から必要なパラメータを過去の通信履歴より決定し、最適な通信パラメータを設定するという技術について言及されている。
【特許文献１】特開平１１−０２７４９３号
【発明の開示】
【発明が解決しようとする課題】
【０００９】
ところで、インターネットファックスにおいては、インターネット網を利用して通信を行うため、インターネット網を構成するサーバに接続する必要がある。そのため、サーバを持たない、企業や個人がインターネットを利用するためにはプロバイダー、すなわち、インターネット接続サービスを提供する通信サービス事業者を介してインターネット網を利用する必要がある。
【００１０】
このようなプロバイダーと称される通信サービス事業者は数多くあり、またそれぞれの回線特性が異なる。そのために、回線品質を起因とした遅延や揺らぎが発生することがあった。
【００１１】
そして、これら遅延や揺らぎが生じる場合には、その送信先毎にファックス通信時のパラメータを個別に設定して対処する方法がとられていた。しかしながら、このようなパラメータの設定は、顧客からカスタマーエンジニアに依頼し、カスタマーエンジニアにより、送信先毎にパラメータを設定する必要があったため、その作業が煩雑であり、このように決めうちで固定のパラメータを設定するといった対処方法によると、今後のインターネット環境の変化に対応できないものであった。
【００１２】
そこで、本発明は上記問題点に鑑みてなされたものであり、回線品質を起因とした遅延や揺らぎを抑制するための通信パラメータを手動若しくは自動で取得し、取得した通信パラメータの少なくとも一部を適応してデータ通信を行えるようにした情報処理装置およびその制御方法を提供することを目的とする。
【課題を解決するための手段】
【００１３】
上記目的を達成するため、請求項１の発明は、インターネットを利用してデータ通信を行う情報処理装置において、前記データ通信時に用いる通信パラメータを前記インターネットを介して接続されたサーバから取得する通信パラメータ取得手段と、データ通信先に応じて前記通信パラメータ取得手段で取得した少なくとも一部の通信パラメータをデータ通信時の通信パラメータに設定するパラメータ設定手段と、前記パラメータ設定手段により設定された通信パラメータを用いてデータ通信を行うデータ通信手段とを具備することを特徴とする。
【００１４】
また、請求項２の発明は、請求項１の発明において、前記通信パラメータ取得手段は、予め設定された特定の時刻に前記サーバより通信パラメータを自動取得することを特徴とする。
【００１５】
また、請求項３の発明は、請求項１の発明において、前記通信パラメータ取得手段は、ユーザからの指示に基づき前記サーバより通信パラメータを取得することを特徴とする。
【００１６】
また、請求項４の発明は、請求項３の発明において、前記パラメータ取得手段で取得した通信パラメータを表示するための表示手段と、前記表示手段に表示された通信パラメータを全て適応するか、若しくはその一部を適応するかのユーザ指示を入力するための操作手段とを更に具備し、前記パラメータ設定手段は、前記操作手段から入力されたユーザ指示に基づいて、前記パラメータ取得手段で取得した通信パラメータの全て若しくは、その一部の通信パラメータをデータ通信時の通信パラメータに設定することを特徴とする。
【００１７】
また、請求項５の発明は、請求項１の発明において、前記データ通信手段によるデータ通信結果の内、データ通信時に発生した通信不具合に関する通信ログを記憶する通信ログ記憶手段を更に具備することを特徴とする。
【００１８】
また、請求項６の発明は、請求項５の発明において、前記パラメータ取得手段は、前記通信ログ記憶手段に対する前記通信不具合に関する通信ログの記憶に対応して前記サーバより通信パラメータを自動取得することを特徴とする。
【００１９】
また、請求項７の発明は、請求項１乃至６の発明において、前記データ通信手段によるデータ通信結果の内、回線品質に起因したエラーが発生しなかったデータ通信時の通信先情報と、該データ通信時の通信パラメータとを含む情報を前記サーバに通知する通信パラメータ通知手段を更に具備し、前記サーバは、前記通信パラメータ通知手段により通知された通信先情報と、該データ通信時の通信パラメータとを含む情報を管理することを特徴とする。
【００２０】
また、請求項８の発明は、インターネットを利用してデータ通信を行う情報処理装置の制御方法において、前記データ通信時に用いる通信パラメータを前記インターネットを介して接続されたサーバから通信パラメータ取得手段で取得し、データ通信先に応じて前記通信パラメータ取得手段で取得した少なくとも一部の通信パラメータをパラメータ設定手段でデータ通信時の通信パラメータに設定し、前記パラメータ設定手段により設定された通信パラメータを用いてデータ通信手段でデータ通信を行うことを特徴とする。
【発明の効果】
【００２１】
本発明によれば、インターネットを利用したデータ通信時に用いる通信パラメータをインターネットを介して接続されたサーバから取得し、データ通信先に応じて取得した通信パラメータの少なくとも一部の通信パラメータをデータ通信時の通信パラメータに設定し、設定された通信パラメータを用いてデータ通信を行うように構成したため、常に最新でかつ、最適な通信パラメータを用いてデータ通信が行えるので、目まぐるしく進歩するインターネット環境においてもその変化に対応することができ、回線品質を起因とした遅延や揺らぎを抑制したデータ通信が行える。
【発明を実施するための最良の形態】
【００２２】
以下、この発明に係わる情報処理装置およびその制御方法の実施形態について添付図面を参照して詳細に説明する。
【実施例】
【００２３】
図１は、本発明に係わる情報処理装置をインターネット網に適用した全体構成を示す図である。なお、本実施例においては、本発明に係わる情報処理装置を送信側ファックス３０に適用した場合を示す。
【００２４】
同図に示されるように、ＷＡＮ（Wide Area Network）７０を介して、送信側ファックス３０と、受信側ファックス４０と、指定サーバ６０とがそれぞれ接続されている。なお、ここでは各装置がＷＡＮ７０を介して接続される場合を説明するが、本発明の機能が実行されるのであれば、特に接続形態は問わない。
【００２５】
送信側ファックス３０としてのインターネットファックスは、ファックス１０とゲートウェイ２０とを具備して構成されており、ファックス１０はアナログ式のファックスであり、ゲートウェイ２０は、変復調装置であり、デジタル信号をアナログ公衆網にのせるための変調、およびアナログ信号をデジタル網にのせるための復調を行う。
【００２６】
すなわち、ファックス１０から出力されたアナログ信号をゲートウェイ２０によりデジタル信号に変換することでインターネットを利用したファックス送信が行え一方、ファックス受信の場合には、受信したデジタル信号をゲートウェイ２０によりアナログ信号に変換することで、インターネットを利用した外部からのファックス受信が行える。ファックス１０とゲートウェイ２０とが連携することでインターネットファックスとしての機能を果たすこととなる。なお、同図には図示しないが送信側ファックス３０は、ＷＡＮ７０上に複数台接続されている。
【００２７】
一方、対向機Ａ（４０ａ）と、対向機Ｂ（４０ｂ）と、対向機Ｃ（４０ｃ）は、受信側ファックス４０としてのインターネットファックスであり、送信側ファックス３０からファックス送信されたデータを受信するファックスを示している。詳細は後述するが、この受信側ファックス４０は、それぞれ異なったサービス事業者５０を利用してファックス通信を行っており、それぞれのサービス事業者５０によって回線品質が異なることで、ファックス通信の受信状況が異なることとなる。
【００２８】
サービス事業者Ａ（５０ａ）と、サービス事業者Ｂ（５０ｂ）と、サービス事業者Ｃ（５０ｃ）と、サービス事業者Ｄ（５０ｄ）は（以下、これらを総称してサービス事業者５０という）、インターネット接続サービスを提供する通信サービス事業者である。サービス事業者５０は、インターネット網に接続するための回線をそれぞれ保持し、企業や個人がインターネットを利用するためには、かかる回線を利用することとなるが、これら回線は、サービス事業者５０によってそれぞれ異なった特性を持つ。
【００２９】
例えば、送信側ファックス３０から対向機Ａ（４０ａ）に対しては、問題なくファックス通信が行えた場合でも、同一の通信パラメータを用いて、対向機Ｂ（４０ｂ）および対向機Ｃ（４０ｃ）に対して正常にファックス通信が行えるとは限らない。例えば、サービス事業者５０それぞれが持ち合わせた回線特性により、ファックス通信した際に遅延や揺らぎなどの現象が生じることとなる。
【００３０】
指定サーバ６０は、ファックス通信時に用いる通信パラメータを修正パラメータとして管理し、その情報を送信側ファックス３０と授受するサーバである。ここには、送信側ファックス３０でなされたファックス通信の中で、回線特性等の影響を受けずに通信が上手く行えた時の通信パラメータが修正パラメータとして管理され、その情報は、図示しない複数台の送信側ファックス３０により適宜更新され常に最新の修正パラメータが管理されることとなる。ここで管理された修正パラメータは、送信側ファックス３０に提供され、提供を受けた送信側ファックス３０では、最適な通信パラメータを用いてファックス通信を行えることとなる。
【００３１】
図２は、送信側ファックス３０および指定サーバ６０の内部構成を示す図である。
【００３２】
送信側ファックス３０は、各種処理機能部として、表示操作部３１と、パラメータ設定部３２と、ファックス通信部３３と、修正パラメータ取得部３４と、記憶部３５と、通信ログ通知部３６とを具備して構成される。
【００３３】
表示操作部３１は、ＬＣＤ（Liquid Crystal Display ）などの表示用デバイスと、テンキーなどの入力用デバイスとを具えたユーザインターフェースである。ユーザは、表示操作部３１からの手動操作により指定サーバ６０で管理された修正パラメータ６１ａを取得することができる。
【００３４】
パラメータ設定部３２は、ファックス通信先に応じて、ファックス通信時に用いる通信パラメータを設定する処理部である。具体的には、後述する修正パラメータ取得部３４により指定サーバ６０から取得した修正パラメータ６１ａを、対応するファックス通信先の通信パラメータに設定する。
【００３５】
ファックス通信部３３は、パラメータ設定部３２により設定された通信パラメータを用いてファックス通信を行う処理部である。ここで、通信した情報は、記憶部３５にて通信ログ３５ａとして保持されることとなる。また、ファックス通信部３３は、外部、例えば、対向機Ａ（４０ａ）からファックス受信を行う役割も果たす。
【００３６】
修正パラメータ取得部３４は、指定サーバ６０で管理された最新の修正パラメータ６１ａを取得する処理部である。具体的には、該当する修正パラメータ６１ａが指定サーバ６０にあるか否かの問い合わせを行い、該当する修正パラメータ６１ａがある場合には、かかるパラメータを受信し、記憶部３５に通信パラメータ３５ｂとして格納する。
【００３７】
さらに、修正パラメータ取得部３４は内部に、カレンダー機能およびタイマー機能を有する計時部３４ａを備え、定刻取得モード設定時には、特定の時刻になると自動で指定サーバ６０に修正パラメータ６１ａの問い合わせを行い、取得することもできる。
【００３８】
記憶部３５は、電気的に消去（書き換え）可能であり、電源を切ってもデータは消えない不揮発性メモリ等の記憶装置である。先に述べた通り、ここには、通信不具合情報などを含む通信ログ３５ａや、指定サーバ６０から受信した通信パラメータ３５ｂを含むデータが記憶される。
【００３９】
この通信ログ３５ａでは、図３に示されるように、パラメータ番号に対応して、送信先電話番号と、通信モードと、通信スピードと、リトライ回数と、バッファと、タイムアウト時間とを含むデータが管理されている。
【００４０】
送信先電話番号は、ファックス送信先の電話番号を示し、この電話番号からサービス事業者５０を特定することができる。具体的には、パラメータ番号００１の場合、「０５０」に続く「１１１１」により、ファックス送信先のサービス事業者５０を特定することができる。
【００４１】
バッファは、揺らぎや遅延を吸収する機能を果たすものである。例えば、バッファを大きくしたならば、揺らぎが吸収できるが遅延は大きくなってしまい、一方、バッファを小さくしたならば、揺らぎの吸収が行えないが遅延は小さくなる。
【００４２】
また、タイムアウト時間は、その値を小さくしたならば、リトライ回数が増えることとなり、一方、タイムアウト時間を大きくしたならば、リトライ回数が減少するが接続時間が長くなってしまう等の問題がある。すなわち、バッファの大きさやタイムアウト時間等の通信パラメータを調整し最適な通信パラメータを設定することで、安定したファックス通信が行えることとなる。
【００４３】
図２に戻り、通信ログ通知部３６は、上述した記憶部３５の通信ログ３５ａに保持された通信記録の中から、回線特性等の影響を受けずに通信が上手く行えた時の通信パラメータを取得し、指定サーバ６０に通知する処理部である。この通信ログ通知部３６から、最適な通信パラメータが指定サーバ６０に通知されることによって、指定サーバ６０では、常に最新でかつ、最適な修正パラメータ６１ａが管理されることとなる。
【００４４】
指定サーバ６０は、内部に修正パラメータ６１ａを記憶するための記憶部６１を有し、送信側ファックス３０と通信を行うことで、かかるパラメータを最新のものに更新したり、送信側ファックス３０に修正パラメータ６１ａを送信する役割を果たすサーバである。
【００４５】
この記憶部６１には、送信側ファックス３０でなされたファックス通信の中で、回線特性等の影響を受けずに通信が上手く行えた時の通信パラメータが修正パラメータ６１ａとして管理されており、ここには、図４に示されるように、パラメータ番号に対応して、サービス事業者と、通信モードと、通信スピードと、リトライ回数と、バッファと、タイムアウト時間とを含むデータが管理されている。
【００４６】
上述した送信側ファックス３０の修正パラメータ取得部３４により、指定サーバ６０から修正パラメータ６１ａを取得する場合には、大項目としてサービス事業者の一致、中項目として通信モードの一致、小項目として通信スピードやリトライ回数により最適な修正パラメータ６１ａを取得し、適応することとなる。以上が送信側ファックス３０および指定サーバ６０の内部構成を示す各機能ブロック図の説明である。
【００４７】
なお、送信側ファックス３０は、先に述べた通り、ファックス１０とゲートウェイ２０とを具備して構成されたものであるが、本発明の機能が実行されるのであれば、上述した送信側ファックス３０を構成する各種処理機能（機能ブロック）は、ファックス１０およびゲートウェイ２０のいずれに備わっていてもよく、例えば、ファックス１０に全ての各種処理機能が備わっていてもよいし、ゲートウェイ２０に全ての各種処理機能が備わっていてもよい。
【００４８】
図５は、本発明に係わる送信側ファックス３０における制御処理（修正パラメータ取得処理）の動作を説明するフローチャートである。
【００４９】
送信側ファックス３０の動作設定で、自動取得モードが設定されている場合には（ステップＳ１０１でＹＥＳ）、通信不具合に関する通信ログ３５ａが記憶されたか否かの判断が修正パラメータ取得部３４にてなされる（ステップＳ１０２）。この通信不具合に関する通信ログ３５ａとは、例えば、所定の回数を上回るリトライ回数を行ってファックス通信がなされた通信記録である。
【００５０】
通信不具合に関する通信ログ３５ａが記憶された場合には（ステップＳ１０２でＹＥＳ）、修正パラメータ取得部３４から指定サーバ６０へと修正パラメータ６１ａの問い合わせが行われることとなるが一方、通信不具合に関する通信ログ３５ａが記憶されてない場合には（ステップＳ１０２でＮＯ）、定刻取得モードであるか否かの判断が修正パラメータ取得部３４にてなされる（ステップＳ１０３）。
【００５１】
ここで、定刻取得モードでない場合には（ステップＳ１０３でＮＯ）、再び、ステップＳ１０１に戻ることとなるが一方、定刻取得モードである場合には（ステップＳ１０３でＹＥＳ）、定刻か否かの判断がなされる（ステップＳ１０４）。これは、予めユーザにより特定の時刻が設定され、その時刻になったか否かが修正パラメータ取得部３４により判断される。
【００５２】
この判断により、定刻になったと判断された場合は（ステップＳ１０４でＹＥＳ）、修正パラメータ取得部３４から指定サーバ６０へと修正パラメータ６１ａの問い合わせが行われることとなるが一方、定刻でないと判断された場合は（ステップＳ１０４でＮＯ）、再び、ステップＳ１０１に戻る。
【００５３】
また、ステップＳ１０１で自動取得モードでない場合には（ステップＳ１０１でＮＯ）、ユーザによる手動設定要求があるか否かの判断が行われる（ステップＳ１０５）。すなわち、ユーザが表示操作部３１を操作して、指定サーバ６０から修正パラメータ６１ａを取得するようにユーザ指示を入力したか否かの判断である。
【００５４】
ここで、ユーザにより手動設定要求がなされていない場合には（ステップＳ１０５でＮＯ）、再び、ステップＳ１０１に戻ることとなるが一方、ユーザにより手動設定要求がなされた場合には（ステップＳ１０５でＹＥＳ）、修正パラメータ取得部３４から指定サーバ６０へと修正パラメータ６１ａの問い合わせが行われる。
【００５５】
このようにして送信側ファックス３０から指定サーバ６０へと修正パラメータ６１ａの問い合わせがなされると（ステップＳ１０６）、その結果が、指定サーバ６０より応答として返送され、修正パラメータ取得部３４では、適応可能な修正パラメータ６１ａがあるか否かが判断される（ステップＳ１０７）。先に述べた通り、サービス事業者の一致、通信モードの一致、通信スピードやリトライ回数といった優先順位により適応可能な修正パラメータ６１ａがあるか否かの判断がなされる。
【００５６】
この判断の結果、適応可能な修正パラメータ６１ａがない場合には（ステップＳ１０７でＮＯ）、再び、ステップＳ１０１に戻ることとなるが一方、適応可能な修正パラメータ６１ａがある場合には（ステップＳ１０７でＹＥＳ）、修正パラメータ取得部３４は、該当する修正パラメータ６１ａを取得する（ステップＳ１０８）。
【００５７】
修正パラメータ６１ａを取得すると、次に、この修正パラメータ取得処理がユーザによる手動設定要求をトリガーとして行われたか否かを判断し（ステップＳ１０９）、ユーザによる手動設定要求によりなされた場合には（ステップＳ１０９でＹＥＳ）、その一部を通信パラメータとして適応するのか、その全てを通信パラメータとして適応するのかを、ユーザに選択させるための選択画面を表示操作部３１に表示する（ステップＳ１１０）。
【００５８】
ここで、取得した修正パラメータ６１ａの値をそのまま全て適応するようにユーザ指示が入力された場合には（ステップＳ１１１で全て）、パラメータ設定部３２は、かかる指示に従って修正パラメータ６１ａの値全てを該当する通信先の通信パラメータに適応し、その通信パラメータ３５ｂを記憶部３５に格納するが（ステップＳ１１３）、一方、取得した修正パラメータ６１ａの一部の値を適応するようにユーザ指示が入力された場合には（ステップＳ１１１で一部）、パラメータ設定部３２は、修正パラメータ６１ａの内、ユーザに選択された一部の修正パラメータ６１ａの値のみを該当する通信先の通信パラメータに適応し、その通信パラメータ３５ｂを記憶部３５に格納して（ステップＳ１１２）、この処理を終了する。
【００５９】
また、上記ステップＳ１０９でユーザによる手動設定要求以外、すなわち、自動取得モード若しくは、定刻取得モードにより、この修正パラメータ取得処理がなされた場合には（ステップＳ１０９でＮＯ）、パラメータ設定部３２は、修正パラメータ６１ａの値全てを該当する通信先の通信パラメータに適応し、その通信パラメータ３５ｂを記憶部３５に格納して（ステップＳ１１４）、この処理を終了する。なお、自動取得モードおよび定刻取得モードであっても、予め動作設定しておくことで、修正パラメータ６１ａの一部の値を通信パラメータに適応することもできる。
【００６０】
図６は、本発明に係わる送信側ファックス３０における制御処理の動作の一例を示す図である。なお、上記図１と同一のものには同一の符号を付してある。
【００６１】
同図には、送信側ファックス３０から対向機４０ｂに対して、ファックス通信を行った状態が示されている。
【００６２】
通信パラメータには、適応前パラメータ（同図下側）に示された値が設定され、この場合、パラメータ番号：００１、通信モード：Ｓｕｐｅｒ Ｇ３（０１）、通信スピード：２２．４Ｋｂｐｓが設定され、ファックス通信が行われた旨が示されている。そして、そのリトライ処理が６回行われている。これらのデータは、通信ログ３５ａとして送信側ファックス３０の記憶部３５に記憶されることとなる。
【００６３】
この場合、リトライ回数が多く通信結果が思わしくなく最適な通信パラメータではないため、送信側ファックス３０では、通信パラメータの修正を行うこととなる。
【００６４】
通信パラメータの修正では、まず、送信側ファックス３０からＷＡＮ７０を介して接続された指定サーバ６０に問い合わせが行われ、その結果が、指定サーバ６０より応答として返送される。
【００６５】
ここで、適応可能な修正パラメータが指定サーバ６０にあるときは、その修正パラメータを取得して適応することとなる。この場合、指定サーバ６０に適応可能な修正パラメータが存在し、適応後パラメータ（同図下側）が適応されることとなる。
【００６６】
以上説明したように本発明においては、指定サーバ６０で管理された修正パラメータ（最適な通信パラメータ）６１ａを手動、若しくは自動で取得して、取得した修正パラメータ６１ａの少なくとも一部を適応してファックス通信を行うように構成したため、常に最新でかつ、最適な通信パラメータを用いてデータ通信が行えるので、目まぐるしく進歩するインターネット環境においてもその変化に対応することができ、回線品質を起因とした遅延や揺らぎを抑制したファックス通信が行える。
【００６７】
なお、上記実施例においては、本発明に係わる情報処理装置を送信側ファックス３０に適用する場合を説明したが、これに限られず、インターネットを利用してデータ通信を行う機器であれば、ＯＡ（Office Automation）機器、家電を問わず適用可能である。
【産業上の利用可能性】
【００６８】
本発明の情報処理装置およびその制御方法は、インターネットを利用してデータ通信を行う情報処理装置全般に適用可能であり、特に、インターネットを利用したデータ通信時に発生する、回線品質を起因とした遅延や揺らぎを抑制する場合に有効利用することができる。
【図面の簡単な説明】
【００６９】
【図１】本発明に係わる情報処理装置をインターネット網に適用した全体構成を示す図である。
【図２】送信側ファックス３０および指定サーバ６０の内部構成を示す図である。
【図３】記憶部３５に記憶された通信ログ３５ａの一例を示す図である。
【図４】指定サーバ６０で管理された修正パラメータ６１ａの一例を示す図である。
【図５】本発明に係わる送信側ファックス３０における制御処理（修正パラメータ取得処理）の動作を説明するフローチャートである。
【図６】本発明に係わる送信側ファックス３０における制御処理の動作の一例を示す図である。
【図７】インターネットファックスの概要を示す図である。
【符号の説明】
【００７０】
１０    ファックス
２０    ゲートウェイ
３０    送信側ファックス
３１    表示操作部
３２    パラメータ設定部
３３    ファックス通信部
３４    修正パラメータ取得部
３４ａ    計時部
３５    記憶部
３５ａ    通信ログ
３５ｂ    通信パラメータ
３６    通信ログ通知部
４０    受信側ファックス
５０    サービス事業者
６０    指定サーバ
６１    記憶部
６１ａ    修正パラメータ
７０    ＷＡＮ（Wide Area Network）
【図１】
2006217238.tif 000003
【図２】
2006217238.tif 000004
【図３】
2006217238.tif 000005
【図４】
2006217238.tif 000006
【図５】
2006217238.tif 000007
【図６】
2006217238.tif 000008
【図７】
2006217238.tif 000009